Podtech/llm-jp-corpus-v4-ja_patent huggingface dataset:
(57)【要約】【課題】オペレータが手持操作器による手動運転操作中に、緊急に非常停止としなければならなくなった場合でも簡単かつ確実に非常停止を行なえる手持操作器を提供する。【解決手段】手持操作器に対する衝撃を検知するショックセンサ１４を有し、ショックセンサ１４による衝撃検知に基づいて可動部３７の非常停止を行なう非常停止装置１３を備える。【選択図】図１
2007276053.tif 000002
【特許請求の範囲】
【請求項１】
可動部を有する機械装置に接続する手動操作器において、
前記手持操作器に対する衝撃を検知するショックセンサを有し、
前記ショックセンサによる衝撃検知に基づいて前記可動部の非常停止を行なう非常停止装置を備えたことを特徴とする手持操作器。
【発明の詳細な説明】
【技術分野】
【０００１】
本発明は、ロボット装置やロータリテーブル制御装置などで、手動操作による教示や簡易位置決め機能と、非常停止機能を備えた手持操作器に関する。
【背景技術】
【０００２】
従来技術の手持操作器は、非常停止専用に押しボタンを搭載している（例えば、特許文献１参照）。
図２は、従来技術および本発明を適用する一般的な手持操作器の外観図である。
図２において、２１は非常停止専用押しボタンである。この図２に示す非常停止専用押しボタン２１は、オペレータが操作中に非常停止とする必要性が生じた場合に押下するものである。
図３は、従来技術を示す手持操作器の非常停止に係る部分の構成図である。
図３において、３１は手持操作器、３３は動力用電源、３４は動力電源遮断回路、３５はコントローラ、３６はサーボアンプ、すなわちモータ制御部、３７は可動部、すなわちモータである。
以下、図２および３を用いて、従来技術の手持操作器の動作について説明する。
オペレータが非常停止専用押しボタン２１を押下すると、接続されたサーボアンプ３６に入力される動力用電源３３からの電源が遮断され、コントローラ３５からサーボアンプ３６へ発行される運転指令は無効となり、可動部３７の運転は即中止される。
このように、従来技術の手持操作器は、非常停止専用押しボタンをオペレータが押下することにより、機器の動力電源が遮断され非常停止するようにしているのである。
【特許文献１】特開２００３−２５１５８２号公報（第１図−第３図）
【発明の開示】
【発明が解決しようとする課題】
【０００３】
しかしながら、従来技術の手持操作器は、オペレータが可動部を確認しながら手動運転操作を行っている際に緊急で非常停止を行なう必要が生じた場合、非常停止専用の押しボタンを確認して押さなければならず、非常停止状態とするまでに時間がかかってしまうという問題があった。
また、操作を誤ってしまうなど、確実に非常停止できない可能性も発生し、安全上の面からも好ましくないという問題があった。
【０００４】
本発明はこのような問題点に鑑みてなされたものであり、オペレータが手持操作器による手動運転操作中に、緊急に非常停止としなければならなくなった場合でも簡単かつ確実に非常停止を行なえる手持操作器を提供することを目的とする。
【課題を解決するための手段】
【０００５】
上記問題を解決するため、本発明は、可動部を有するロボット装置、ロータリテーブル制御装置に具備され、手動操作による教示や簡易位置決め機能、非常停止機能を備えた手持操作器において、前記手持操作器に対する衝撃を検知するショックセンサを有し、前記ショックセンサによる衝撃検知に基づいて前記可動部の非常停止を行なう非常停止装置を備えたことを特徴としている。
【発明の効果】
【０００６】
本発明の手持操作器によると、オペレータが手持操作器による手動運転操作中に、緊急に非常停止としなければならなくなった場合でも簡単かつ確実に非常停止を行なうことがきる。
【発明を実施するための最良の形態】
【０００７】
以下、本発明の実施の形態について図に基づいて説明する。
【実施例１】
【０００８】
図１は、本発明を示す手持操作器の非常停止に係る部分の構成図である。
図１において、１１は本発明の手持操作器、１３は非常停止装置、１４はショックセンサである。尚、従来技術と同じ構成要素には同じ説明符号とし、その説明は省略する。
図１に示す本発明が、図３に示す従来技術と異なる点は以下のとおりである。
すなわち、本発明の手持操作器１１は、手持操作器１１に対する衝撃を検知するショックセンサ１４を有し、ショックセンサ１４による衝撃検知に基づいて可動部３７の非常停止を行なう非常停止装置１３を備えるようにしている点である。
【０００９】
次に、図１を用いて、本発明の手持操作器の動作を説明する。
図１において、手持操作器１１に備えられたショックセンサ１４が衝撃を感知すると、非常停止装置１３が作動、すなわち、非常停止専用押しボタン２１のＢ接点と直列に接続された非常停止装置１３のＢ接点が「開」となる。動力電源遮断回路３４は、このＢ接点と直列に遮断器のコイルが接続されていることからサーボアンプ３６の動力用電源３３を遮断し、可動部３７を非常停止させる。
【００１０】
以上述べたように、本実施例に係る手持操作器１１は、手持操作器１１にショックセンサ１４を有し、このショックセンサ１４による衝撃検知に基づいて可動部３７の非常停止を行なう非常停止装置１３と、を備える構成としているので、オペレータが手持操作器１１をたたいたり落としたりといった外部からの衝撃を与えることにより、簡単に可動部３７を非常停止とすることができる。
【産業上の利用可能性】
【００１１】
本発明は、ショックセンサ感知による非常停止装置を備えることによって、手動運転作業中にも容易に非常停止とするようにしているため、工作機械で手動運転時に使用される手動パルス発生器などにも適用することができる。
【図面の簡単な説明】
【００１２】
【図１】本発明を示す手持操作器の非常停止に係る部分の構成図
【図２】従来技術および本発明を適用する一般的な手持操作器の外観図
【図３】従来技術を示す手持操作器の非常停止に係る部分の構成図
【符号の説明】
【００１３】
１１、３１  手持操作器
１３  非常停止装置
１４  ショックセンサ
２１  非常停止専用押しボタン
３３  動力用電源
３４  動力電源遮断回路
３５  コントローラ
３６  サーボアンプ
３７  可動部
【図１】
2007276053.tif 000003
【図２】
2007276053.tif 000004
【図３】
2007276053.tif 000005
(57)【要約】【課題】  果樹園などで収穫や剪定又は農業の散布など足廻りのきく高所作業車を提供する。【解決手段】  軽トラックの荷台に装脱自在に取付けられる昇降装置を設けるもので、油圧シリンダーによって２段階に作動する昇降装置に作業台を設け、作業台は３６０°回転可能とすることによって作業性がよく、又昇降装置を外したときは普通トラックとして利用可能とする。【選択図】図１
2007276998.tif 000002
【特許請求の範囲】
【請求項１】
台座上に先端に作業台を設けた２段に伸縮する柱状のシリンダーを取付け、該作業台を３６０°回転可能とし、軽トラック荷台上に着脱自在に搭載すること特徴とした高所作業車。
【請求項２】
シリンダー柱の側面に補助腕を設け、該補助腕を軽トラック車体に固定して安定を図ることを特徴とした請求項１に記載した高所作業車。
【発明の詳細な説明】
【技術分野】
【０００１】  本発明は、軽トラック荷台にシリンダーによって上下する作業台を脱着自在に搭載した高所作業車に関する。
【背景技術】
【０００２】  発明者は、先に軽トラックの荷台に多機能に利用できるクレーンを搭載した作業車を開発して、このクレーンに篭を装着して作業車とすることを考えた。またパンタグラフ式に昇降する高所作業車も開発されている。
【特許文献１】  特開平０６−３３７３９６号公報
【特許文献２】  実用新案登録第３０７５９６７号公報
【発明の開示】
【発明が解決しようとする課題】
【０００３】  しかし、先に開発した多目的の作業車は、クレーンに篭やフックを自在に替えて運搬車や作業車と多様に使用が可能なため便利に使用できるが、それぞれの交換に不便があり期待する効果が得られなかった。また前記されている高所作業車は、Ｘ式の昇降装置を搭載するため構造が複雑で大掛りとなり、自走式であるにもかかわらず取扱いに不便があった。
【課題を解決するための手段】
【０００４】  発明者は軽快に活動できる高所作業車を目的として種々試作を重ねた結果本発明に到達したものであって、シリンダーによって昇降する作業台をトラックの荷台に脱着可能に搭載するもので、果樹園など足場の悪い場所での収穫や剪定手入れ作業を能率よく円滑に行動できる高所作業車を提供する。
【発明の効果】
【０００５】  上述のように本発明の高所作業車は、トラック（図示では軽トラック）の荷台に脱着自在に搭載できるため、必要に応じて作業台を搭載して作業をし、不要なときは通常のトラックとして使用可能であって、きわめて有効に使用できる。そして図示のように軽トラックを利用した場合、足廻りがよく、果樹園等での剪定や収穫作業に画期的に能率が向上するという効果を奏する。
【発明を実施するための最良の形態】
【０００６】  添付図面により本発明を実施するための最良の形態を説明すると、図は軽トラックＴの荷台に昇降装置Ａを搭載する実施例図であり、図中の符号（１）は台座を示し、（２）は２段に昇降するシリンダーを示している。このシリンダーの昇降軸の先端に作業台（３）を設けるもので、作業台（３）は３６０°回転可能としている。また符号（５）は作業台（３）の安定を図るための補助腕であって、トラック車体に安全のために固定する。
【実施例】
【０００７】  図１について、本発明の実施例を示す正面図であって、図示にあっては、発明を理解できるように昇降装置Ａと軽トラック車体Ｔを分離した状態で示しているが、実際には昇降装置ＡはトラックＴの荷台に搭載されて作業車として活動するか或は荷台から降ろされてトラックＴは独自に使用される。【０００８】  昇降装置Ａは２段に伸縮するシリンダー（２）によって構成されていて、シリンダー（２）の軸の先端には作業台（３）が装着されていて、作業車はこの上に乗せて高所での作業を行うものである。【０００９】  この昇降装置Ａは２段に伸縮する。その高さは約５ｍを目安としているため果樹園等においては収穫や剪定又は農業等の散布に適していて、軽トラックを使用しているため足廻りがよい。【００１０】  本発明においては、軽トラックに対して果樹園での作業を主として実施例を示しているが、トラックは軽トラックに限ることなく大型のトラックでも同様に利用できる。また、高所作業においても果樹園に限ることなく、屋根や電柱等の高所での作業に適用できることはいうまでもない。
【産業上の利用可能性】
【００１１】  図示されるように、本発明の高所作業車は、軽トラックを利用しているため行動力があって、果樹園の奥までも自由に入れ、しかも作業台が脱着可能なため、この作業車の利用範囲はきわめて広い。
【図面の簡単な説明】
【００１２】
【図１】  軽トラック及び作業台の全体を示す実施例図
【符号の説明】
【００１３】  （１）…台座
（２）…昇降シリンダー
（３）…作業台
（５）…補助腕
Ａ…昇降作業装置
Ｔ…軽トラック
【図１】
2007276998.tif 000003
【手続補正書】
【提出日】平成18年5月24日(2006.5.24)
【手続補正１】
【補正対象書類名】図面
【補正対象項目名】図１
【補正方法】変更
【補正の内容】
【図１】
2007276998.tif 000004
(57)【要約】【課題】  古紙ラックの中に古紙は重なり纏まっている状態から、古紙を取り出す際に崩すことがある。また荷造するときも紐を下に回すことは主婦には難しく崩すことも多いし、紐、ハサミなど用意して荷造りするため手間もかかる。これらを解決することを課題とする。【問題を解決するための手段】【解決手段】  古紙ラックの中の古紙を取り出す前に荷造りしてから取り出すので崩れない。荷造りの紐と、紐切断カッターを古紙ラックに附けることで、紐とハサミなど用意する必要はないし、そのままの状態で古紙置き場に持っていけることで問題を解決する。【選択図】図１
2007276999.tif 000002
【特許請求の範囲】
【請求項１】
古紙ラックの四角形表面は、縦面２個所と横面２個所の上側中央に、紐引っ掛け溝を１面に１個所で計４箇所附けることを特徴とする古紙ラック。
【請求項２】
荷造り紐巻き取るボビンを、古紙ラックに附けられるようにしたことを特徴とする古紙ラック。
【請求項３】
荷造り紐を簡単に切断できる位置にカッターを附けたことを特徴とする古紙ラック。
【発明の詳細な説明】
【技術分野】
【０００１】  本発明は、古紙ラックに古紙がある程度たまると、そのまま荷造り紐で括って取り出せる古紙ラックの改良に関するものである。
【背景技術】
【０００２】  古紙ラックの中に古紙がある程度たまってから取り出す際に、古紙が崩れることが多く、荷造りのときも古紙の下に紐を回すことは難しく手間がかかっていた。
【発明の開示】
【発明が解決しようとする課題】
【０００３】  古紙ラックの中に古紙がある程度たまると、古紙ラックから古紙を取り出す際、古紙が崩れることがある。そして古紙を荷造り紐で括るとき下に紐を回すことは主婦には難しく、紐とハサミは用意して荷造りするため手間が掛かってしまう。これらを解決することを課題とする。
【問題を解決するための手段】
【０００４】  請求項１の発明は、古紙ラックの内から外に紐を２０ｃｍほど出して縦面の紐引っ掛け溝に引っ掛けて底まで落とす、対面の縦面まで横断して底から上の紐引っ掛け溝に引っ掛ける。外にでた紐はすぐ横にある横面の紐引っ掛け溝へ引っ掛けて古紙ラック内に入り、底を這って対面の横面の底から上の紐引っ掛け溝に引っ掛けて外に出しておく。そこに古紙を入れて、ある程度たまれば紐引っ掛け溝から紐を計４箇所外して古紙を縛ると崩れずひもごと古紙は取り出せるようにした。
【０００５】  請求項２の発明は、荷造り紐をボビンに巻き取って、古紙の出し入れの邪魔にならないように古紙ラックに附けることで、ボビンから紐を取り出してすぐに古紙ラックにセットできるようにした。
【０００６】  請求項３の発明は、荷造り紐を古紙ラックにセットした後、紐切断カッターで簡単にその場ですぐに切断できるようにした。
【発明の効果】
【０００７】  本発明は、古紙ラックの中に古紙がたって取り出す際に、古紙ラックの中に入ったまま紐で括るので崩れないまま取り出すことができる。そのままの状態で古紙置き場に持っていけるようにした。
【発明を実施するための最良の形態】
【０００８】  古紙ラック１の縦面３と横面４の上側に、紐引っ掛け溝２を附ける。荷造り紐を巻いたボビンはボビン固定台５と一体になっている。古紙ラック差込板９によって古紙ラック１に附ける。ボビンから取り出した紐の先端を古紙ラック１の内から外に２０ｃｍほど出して、縦面３の紐引っ掛け溝２に引っ掛けて底まで落とて対面の縦面３まで横断する。底から上にある紐引っ掛け溝２に引っ掛ける。外にでた紐は、すぐ横の横面４にある紐引っ掛け溝２へ引っ掛けて古紙ラック１の内側に入る。紐は底までいき対面の横面４の底から上にある紐引っ掛け溝２に引っ掛けて外に出しておく。そこに古紙を入れてある程度たまれば、紐引っ掛け溝２からひもを４箇所外して古紙を縛ると、古紙を縛ったまま古紙ラックから取り出すことができるので古紙が崩すことがなく古紙置き場に持っていける。
【産業上の利用可能性】
【０００９】  本発明に係る古紙ラックは、工業的に量産する事が可能であるため、産業上の利用可能性を有する。
【図面の簡単な説明】
【００１０】
【図１】  古紙ラック本体斜視図
【図２】  ボビンとボビン固定台全体斜視図
【図３】  〔図２〕を〔図１〕に差込した正面図
【符号の説明】
【００１１】  １    古紙ラック
２    紐引っ掛け溝
３    縦面
４    横面
５    ボビン固定台
６    ボビン
７    ボビンの軸
８    ボビン受け板
９    古紙ラックに嵌め込み板
１０  紐切断カッター
【図１】
2007276999.tif 000003
【図２】
2007276999.tif 000004
【図３】
2007276999.tif 000005
(57)【要約】【課題】プラスチックパネル２枚を繋ぎ、絵や書画の裏打などを技術を要せず簡単に裏打が出来る道具を提供する。【解決手段】１ｍｍから４ｍｍぐらいのプラスチック材のパネルで表面が細かい凹凸のある事と剥がれ易い事が特徴であり、２枚のパネルを蝶板で繋ぎ左右に開封出来左をＡ面とし右をＢ面として色紙の時はＡ面に絵を裏にして糊を付けてＢ面の色紙の上に重ね、絵か書に裏打を裏打する時はＡ面に裏打紙に糊を付けてＢ面上の絵か書にいつきに重ねる事によつて技術も要せず簡単に気泡もなく皺にもならずに作業が出来る事が特徴の道具である。【選択図】図１
2007276436.tif 000002
【特許請求の範囲】
【請求項１】
厚さ１ｍｍから４ｍｍぐらいのプラスチック材で表面が細かい凸凹のある事が特徴のパネルで左右に開封出来る様に蝶板等で繋ぎ開いて左パネルをＡ面とし右パネルをＢ面としてＡ面に絵か書を置いて糊を付け、Ｂ面に色紙を置いてＡ面を閉じて絵か書をＢ面上の色紙に張りつけ、またはＡ面上に裏打紙に糊を付けＢ面上の絵か書の裏打または総裏打ちを技術を要せず簡単に作業が出来る事を特徴とした道具である。
【発明の詳細な説明】
【技術分野】
【０００１】  本発明は、裏打紙に糊を付け、墨絵、書画、日本画、などに裏打ちする事に関するものである。
【背景技術】
【０００２】従来は左側に絵画か書画を置き右側に裏打紙を並べて置き裏打紙に糊を付けて裏打紙の右端しを３センチ幅×裏打紙の長さを掛竿に掛けて垂直に持ち上げて徐々に左に倒しながら絵画か書画の右端しから重ね合わせていた。または掛竿に糊を付けた裏打紙を垂直に持ち上げて本紙（絵か書）の上に持ついき本紙（絵か書）の端の方から掛竿を操りながら裏打紙を本紙の上に徐々に下ろしながら撫刷毛で前後左右を撫でつけながら皺が出来ない様にしながら本紙（絵か書）に張り付けていた。
【発明の開示】
【発明が解決しようとする課題】
【０００３】（イ）そのために、次のような問題点があつた。
裏打紙を掛竿に掛けて持ち上げたときに手がぶれたり微風があつても垂直にたれさがつた裏打紙が絡みあつて駄目にする事がある。
（ロ）本紙（絵画、書画）に裏打をする場合裏打紙に糊を付けて本紙に重ね合わせる時馴れていないと気泡や皺が出来てしまい、何度か初めから遣り直しをしなければならなかつた。
【課題を解決するための手段】
【０００４】厚さ１ミリから４ミリのプラスチック材のパネルで表面が細かい凸凹のあるもの、特に細かい凸凹がある事が重要な特徴であるＡ面とＢ面で成り両面を蝶板で繋いでありＡ面上には裏打紙を置きＢ面上には絵画または書画を置きＡ面上の裏打紙に糊を付けてＢ面上の絵か書に重ねてＡ面上の裏打紙をＢ面の絵画または書画に貼りつける、大きさは使用する裏打する絵画、書画によつて異なるが色紙用、色紙からＦ１０号まで用、１０号以上に分類し使い安くし、プラスチックパネルの表面を凸凹にする事によつてプラスチックパネルと裏打紙が剥がれやすくなり、瞬間的に裏打紙と絵画または書画を結合させるので気泡も皺も出来ない、以上を特徴とする絵画又は書画の裏打の道具である。
【発明の効果】
【０００５】Ａ面の裏打紙とＢ面の絵画か書画を瞬間的に合わせるので気泡も皺も出来ず簡単で綺麗に結合された。
【発明を実施するための最良の形態】
【０００６】以下、本発明の実施の形態について説明する。
（イ）絵画または書画の大きさによつて異なるが基本的には形態は同じであるが、色紙用，色紙からＦ１０号迄用、１０号以上に分類する。
（ロ）色紙用の場合１ミリから４ミリ位のプラスチツク材で表面が細かい凸凹のある面で図１の様にＡ面１とＢ面２を蝶板（５）を介して繋ぎＡ面１の内側にＸ型の対角線を引き中央に色紙大の大きさ四角の枠（３）を設け、又Ｂ面２にもＡ面と同じ様にＸ型の中央に色紙大の四角の枠を（４）設ける、色紙以外は図２のＢ面の右側上下に小さな耳（６）（７）を設け中央に画鋲が入る穴を設け画鋲を挿してシ−トの移動を防ぐ為に設けた物である。図２のやうにＡ面はＢ面より４ｍｍ高くしあり全体の大きさは裏打紙の大きさによつて分類されるが、一番使われる大きさＡ面縦４０４ｍｍ横５７０ｍｍＢ面縦４００ｍｍ横５７０ｍｍである、Ａ面とＢ面は図２の様に３個所蝶板で繋ぎ閉じたり開いたり出来る用にしてある。（３）の赤線は総裏打のときに紙を揃える為の目印に設けた物である。
本発明は以上のような構成で、これを使用するときは。
（イ）色紙の裏打は図１のＡ面に絵か書画をＢ面の上に置いた色紙のどの部分に貼りたいかをＡ面の４角の枠を基準にして絵か書を裏にして置き霧吹き器で軽く霧を吹き撫で刷けで皺を伸ばしてＡ面上に定置し薄い糊を全面に付けておき、Ｂ面の四角の枠に色紙の表面お上にして置き、絵か書が張ってあるＡ面をＢ面の上に被せてタオルで軽く何遍も平均に良くこすつてＡ面を開き絵か書に皺が無い事、色紙に絵か書が張合わされている事を確かめて絵か書をＢ面より剥がして絵か書を乾燥させる。
（ロ）色紙以外は図２のＡ面上に裏打紙の表を上にして霧を吹き皺を伸ばして薄く糊を付けて置き、Ｂ面上中心に絵か書を裏にして水を霧吹器で軽く湿らせ刷毛で皺が有れば皺を伸ばしてＢ面に定置して置き、Ａ面をＢ面に被せてＡ面の上をタオルで軽く上下左右に撫で付け、Ａ面の裏打紙が完全にＢ面の絵か書に張り付いた事と皺がない事を確かめてＡ面を開いてＢ面の絵か書を平均に撫で付けて剥がして乾燥させる。
（ハ）総裏打は掛け軸の裏側全体に裏打紙を貼るので面積が広く成るので掛け軸の長さによつて何枚かの紙を継ぎ合わせなければ成らない。図２のＡ面Ｂ面のシ−トを使用しＢ面の（６）（７）の耳に画鋲を通して動くのを防ぎＡ面に裏打紙８（イ）を置き水を霧吹器で軽く吹きかけて刷毛で撫でながら皺と気泡を除き糊を全体に平均に付け、Ｂ面上の掛け軸の裏側上部に被せてＡ面の上を乾いたタオルで上下左右を撫で付けて確実に掛け軸の裏に裏打紙が張り付いた事を確かめてＡ面を元に開くとＢ面上の掛け軸裏側に点線斜線図８（ロ）の様に成る図３図、次に裏打シ−トを２段目として裏打シ−トを最初に済んだ裏打紙の下に正確に揃えて２段目として、前回の１段目と同じ事を繰返して３段目、４段目と張合わせて掛け軸の裏打を仕上げる．Ａ面の４ｍｍは各段階の裏打紙と裏打紙の結合部分の４ｍｍである。
【図面の簡単な説明】
【０００７】
【図１】      本発明の斜視図その１
【図２】      本発明の斜視図その２
【図３】      本発明の実施例を示す斜視図
【符号の説明】
【０００８】
【図１】
の符号
１      Ａ面
２      Ｂ面
３      Ａ面の色紙大の大きさの線
４      Ｂ面の色紙大の大きさの線
５      Ａ面、Ｂ面繋ぐ蝶板
【図２】
の符号
１      Ａ面
２      Ｂ面
３      目印の赤線
４      Ａ面、Ｂ面繋ぐ蝶板
５      Ｂ面の目印の赤線
６      Ｂ面上の耳の穴
７      Ｂ面下の耳の穴
【図３】
の符号
８      ８（イ）Ａ面上の裏打紙と８（ロ）Ｂ面上の裏打された紙
９      ９（イ）Ａ面上の二段目の裏打紙と９（ロ）裏打された紙
１０    掛け軸の裏側
【図１】
2007276436.tif 000003
【図２】
2007276436.tif 000004
【図３】
2007276436.tif 000005
(57)【要約】      （修正有）【課題】有名店ガイドボックスの中から名刺が４箇所より１枚づつ出る名刺いれの提供。【解決手段】有名店ガイドボックスに、名刺を送り出すゴム（ベルトコンベヤー）とネジを取り付け、タクシーなどの乗客が名刺を１枚づつ取り出せるようにした。【選択図】図４
2007276435.tif 000002
【特許請求の範囲】
【請求項１】
取りだし口から名刺を１枚づつ取り出せる口を４個所有名店ガイドボックスに取り付けました。そこでタクシー運転手の右後ろにスペースが有るので取り付け、乗客に名刺を無料で１枚づつ取ってもらい広告する様にしました。
【発明の詳細な説明】
【技術分野】
【０００１】本発明はタクシー内で有名店ガイドボックスに依り名刺を無料で配布するもので有る。
（特Ａ）１に記載した名刺取り出し部分です。
【背景技術】
【０００２】回転ネジを回し名刺が出る（２・３・４・５頁に至る）
【発明の開示】
【０００３】中図面２・３・４・５頁に記載している、ゴム手動式コンベヤーより名刺が１枚づつ出ることに依りタクシー内で無料広告する。
【発明が解決しょうとする課題】
【０００４】有名店ガイドボックスに依り飲食店関係等の広告を安価に納めたいと願っています。
【課題を解決するための手段】
【０００５】プラスチックの色（特Ａ  １）からオールカラフルに仕上げたいと思っています。
【発明の効果】
【０００６】タクシー運転手の右後ろにボックスを取り付けるスペースが有り広告する事が出来る。
【発明を実施するための最良の形態】
【０００７】中図面２・３・４・５頁に記載しているとおり名刺が１枚づつ出る様にしている。
【実施例】
【０００８】特許を取った上で実施する予定で有る。
【産業上の利用可能性】
【０００９】タクシー内で名刺を無料広告配布する事に依り乗客に訴え店が繁栄する事を祈っています。
【図面の簡単な説明】
【００１０】図面（特Ａ）１  斜めから見た図面です。
図面（特Ａ）２  切断図面です。
正面図          １頁、前から見た図面です。
中図面          ２・３・４・５頁、正面図からは見えないが後面図（６頁）蓋を開けた場合は見えます。
後面図          ６頁、鍵を開けて蓋を開けた場合中図面が見えます。
側面図          ７・８頁、図面のとおりです。
上面図          ９頁、図面のとおりです。
底面図          １０頁、図面のとおりです。
【符号の説明】
【００１１】図面（特Ａ）１  斜め前から見た図面です。
図面（特Ａ）２  切断面です。
【配列表フリーテキスト】
【００１２】正しいテキストで有ったと思います。
［配列表］【００１３】正しいと思います。
（追伸）
この機器は売る商品ではございません。
タクシー内で名刺を１枚づつお客様に取って戴く事により私も利益を得る事が出来ると思っています。
2007276435.tif 000003
2007276435.tif 000004
2007276435.tif 000005
2007276435.tif 000006
2007276435.tif 000007
2007276435.tif 000008
2007276435.tif 000009
2007276435.tif 000010
2007276435.tif 000011
2007276435.tif 000012
2007276435.tif 000013
2007276435.tif 000014
【手続補正書】
【提出日】平成18年6月15日(2006.6.15)
【手続補正１】
【補正対象書類名】図面
【補正対象項目名】全図
【補正方法】変更
【補正の内容】
【図１】
2007276435.tif 000015
【図２】
2007276435.tif 000016
【図３】
2007276435.tif 000017
【図４】
2007276435.tif 000018
【図５】
2007276435.tif 000019
【図６】
2007276435.tif 000020
【図７】
2007276435.tif 000021
【図８】
2007276435.tif 000022
【図９】
2007276435.tif 000023
【図１０】
2007276435.tif 000024
(57)【要約】【課題】  印刷した平面印刷物による立体的表現物をより安価に生産、提供する。【解決手段】  一片の紙に浮かせて見せる物、背景、台座を一度に印刷し、線１１で切り、線１２で山折、線１３で谷折にし、面２１をのりしろに重なり合う場所、面２６の下部に貼り付け、さらに面２０をのりしろに重なり合う場所、最前面にくる面２２の裏に貼り付けて組み立てると、面２４を背景とした、面３１、３２、３３を立体的に表現することができる。【選択図】図１
2007276431.tif 000002
【特許請求の範囲】
【請求項１】
浮かせて見せる物、背景、台座を一片の紙にまとまるよう一度に印刷し、生産することを特徴とした、一片の平面印刷物による立体表現方法。
【請求項２】
前記印刷物を立体として表現する為の切り方、折り方を特徴とする請求項１記載の一片の平面印刷物による立体表現方法。
【発明の詳細な説明】
【技術分野】
【０００１】  本発明は、印刷、文具、玩具、広告、その他印刷物に関する。
【背景技術】
【０００２】  従来の平面印刷物による立体表現は、複数のパーツが必要であったり、一枚の紙であったとしても表現範囲が立体物単体であるなど限られるものでしかなかった。【０００３】  なお、本願発明に関連する公知技術として次の特許文献１及び特許文献２を挙げることができる。【０００４】
【特許文献１】  特許公開２００３−１２２２５３
【特許文献２】  特許公開２０００−１４１９５４
【発明の開示】
【発明が解決しようとする課題】
【０００５】  上述の如く、従来の平面印刷物による立体表現は、紙を用いた場合他の素材を用いた立体表現よりも安価であるとはいえ、それでもまだ個人が気軽に利用するまでにはなかなか至っていない。【０００６】  従来技術では広告的な利用に限られがちな平面印刷物による立体表現をより安価に生産し、表現できる範囲を広げ、より用途を広げることにある。
【課題を解決するための手段】
【０００７】  上述の目的を達成する本発明の、一片の平面印刷物による立体表現方法とは、一片の紙に浮かせて見せる物、背景、台座を一度に印刷し、一片の紙として生産することを特徴とする。【０００８】  一例として一片の紙とは、長方形、正四角形を基本形としている。そうすることによって生産上必要な仕上げ加工を安易にすることが可能である。【０００９】  本発明は利用者及び提供者が、本発明である印刷物の指示による切り方、折り方を施す事により、初めて表現物を立体化することが可能となる。本発明はその切り方、折り方を特徴とする。
【発明の効果】
【００１０】  以上説明したように本発明によれば、一度に立体表現に必要なもの全てを印刷することが出来、生産上発生する仕上げ加工を最も安易にすることによって、安価に生産することを可能とし、そのサイズを手ごろにすることによって広く個人消費者にまで安価に提供できる有効性がある。
【発明を実施するための最良の形態】
【００１１】  以下、本発明の実施の形態を図面に基づき詳細に説明する。【００１２】  図１〜図３は本発明の実施の形態に係り、図１は提供状態、図２は本発明を組み立てたときの横透視図、図３は本発明を組み立てたときの外観斜視図である。【００１３】  図１に示すように本発明は一片の紙のみで構成される。これを組み立てるには、線１１に沿って切り込みを入れ、線１２を山折に、線１３で谷折にする。面２１と重なり合う面２６の下部を貼り付け、面２０と最前面にくる面２２の裏面を貼り付ければ、図３に示すような立体表現が可能となる。【００１４】  図２は図１を組み立てた時の横透視図であるが。面２２の短辺及び面２５の一番長い辺の長さは比較的自由に設定できるのに対し、面２３の短辺の長さは、面２２の短辺及び面２５の二番目に長い辺の長さを立体部分の層の数で割った長さによってピタゴラスの定理により求める。そうすれば面２２は垂直となり、浮かせて見せる物３１、３２、３３も垂直となる。【００１５】  図１は本発明の一例で、背景を除いて三層で立体を表現している。これは面２２と面２３が３組あるからであり、したがって２層にするなら面２２と面２３を２組に、４層にするなら面２２と面２３を４組にすればよい。【００１６】  本発明は、横に広く作ることも縦に高く作ることも容易である。面２３の短辺の長さのみを求めれば、様々な大きさで対応が可能である。
【実施例】
【００１７】  図１の長辺を１４８ｍｍ、短辺を１００ｍｍにすれば、組み立てる絵葉書として利用できる。【００１８】  また、ボール紙などのしっかりした紙を使えば、折箇所に筋をいれれば、比較的大きな物を作成することが可能であり、店頭広告などに利用ができる。【００１９】  以上、本発明の実施の形態及び実施例を説明したが、本発明の範囲はこれに限定されるものではない。本発明の形、大きさ、利用法等は状況に応じて適宜変形できることを前提としている。
【産業上の利用可能性】
【００２０】  本発明は年賀状などの絵葉書として利用可能な他、文具、玩具、広告の分野で利用することができる。
【図面の簡単な説明】
【００２１】
【図１】  本発明の利用者への提供状態。この場合、背景を除いて三層の物を立体的に表現する。浮かせて見せる物３１、３２、３３は利用状況によりその都度異なる。
【図２】  図１を組み立てた時の横透視図。
【図３】  図１を組み立てた時の外観斜視図。
【符号の説明】
【００２２】  １１                切る箇所
１２                山折にする箇所
１３                谷折にする箇所
２０、２１          のりしろ
２２、２３、２５    台座部分
２４                背景部分
２６                柱部分
３１、３２、３３    浮かせて見せる物
【図１】
2007276431.tif 000003
【図２】
2007276431.tif 000004
【図３】
2007276431.tif 000005
(57)【要約】【課題】  記入スペースを自由に調整できる日記帳を提供する。【解決手段】  年月日・曜日を印刷したシールを日記帳の必要な部分に貼り付けてその下に当日の日記を書き込む。当日の日記が終了したら翌日の年月日・曜日を印刷したシールをその下に貼り付け、その下に翌日の日記を書き込めるようにする。このようにして日記を書き込むペースを自由にそして無駄なく利用できることを特徴とするスペース自由日記帳。【選択図】図１
2007276433.tif 000002
【特許請求の範囲】
【請求項１】
年月日・曜日を印刷したシールを台紙から剥ぎ取って必要な頁に貼り付けることを特徴とするスペース自由日記帳。
【発明の詳細な説明】
【技術分野】
【０００１】  本発明は、年月日・曜日を印刷したシールを必要な頁に貼り付ける日記帳に関するものである。
【背景技術】
【０００２】従来、年月日・曜日を印刷した日記帳があった。
【発明の開示】
【発明が解決しようとする課題】
【０００３】そのために、次のような問題点があった。
（イ）従来の日記帳は各頁に記入スペースが固定され、そこに年月日・曜日が印刷されてしまっている。たとえば、４月１日のスペースに一行しか書き込まないでその日の日記を終わった場合、大きなスペースを残したまま次の４月２日のスペースに日記を書かなくてはならなかった。
（ロ）これは従来の日記帳はスペースが固定され、そこに年月日・曜日が印刷されてしまっていることが原因である。従って、従来の日記帳には大きなスペースが残されたままになる。
（ハ）さらに従来の日記帳は一年間使用したら翌年には使用できない欠点がある。これらは全て紙資源の浪費を招いている。
本発明は、これらの問題点を解決するためになされたものである。
【問題を解決するための手段】
【０００４】（イ）日記帳には年月日・曜日を印刷しない。
（ロ）記入スペースを固定しない。
（ハ）台紙に規則正しく並んだ剥ぎ取りが容易な多数の細長いシールに一年分以上の年月日・曜日を印刷する。
（ニ）このシールを日記帳の必要な部分に貼り付ける。
以上を特徴とする、スペース自由日記帳である。
【発明の効果】
【０００５】（イ）当日の年月日・曜日が印刷されたシールを台紙から剥ぎ取り日記帳の必要な部分に貼り付ける。その下に当日の日記を書く。
（ロ）当日に、たとえば一行の日記を書き終えたら、その下に同様にして、翌日の年月日・曜日が印刷されたシールを貼り付ける。
（ハ）翌日の日記は十行になっても二十行になっても良い。書き終えたら更に翌々日の年月日・曜日が印刷されたシールをその下に貼り付ける。このようにして、日記を書き込むスペースを自由に調整し、日記帳に無駄なスペースを残さないようにして紙資源の節約をする。これにより従来の３６５日分の日記帳を３６５日以上使用することができる。
（ニ）逆にその日の日記を数ページにわたって記入することも可能になる。
【発明を実施するための最良の形態】
【０００６】以下、本発明の実施の形態について説明する。
（イ）台紙（６）に貼られた剥ぎ取りが容易な多数のシール（５）に一年分以上の年月日・曜日を印刷する。
（ロ）本発明は以上のような構成で、これを使用するときは、このシール（５）を年月日・曜日が印刷されていない日記帳（３）に貼り付ける。
（ハ）シール（５）を貼り付ける部分は必要に応じて自由に選ぶ。
（ニ）シール（５）を年月日・曜日が印刷されていない日記帳の必要な部分に自由に貼れるので、日記帳の記入スペースが有効に利用され、無駄な余白を残さないようになる。
【図面の簡単な説明】
【０００７】
【図１】  本発明の斜視図
【図２】  従来の日記帳の斜視図
【図３】  年月日・曜日が印刷され台紙に貼られたシールの平面図
【符号の説明】
【０００８】  １  年月日・曜日シール
２  スペース
３  年月日・曜日が印刷されていない日記帳
４  従来の日記帳
５  年月日・曜日が印刷されたシール
６  台紙
【図１】
2007276433.tif 000003
【図２】
2007276433.tif 000004
【図３】
2007276433.tif 000005
(57)【要約】      （修正有）【課題】車輪がどの方向を向いていても、球体の反射面が全方向、平面体の反射面が横方向に反射するリフレクターを提供する。【解決手段】球体と平面体を付けた、おたまじゃくしのような形の表面に反射面を装着した全方向反射リフレクターを形成する。このように形成すると、車輪がどの方向を向いていても反射光を期待できること、さらに車輪の回転によってリフレクターが見かけ状、前後に動き、前後の広範囲に反射光を発することができること、車両の運転手が自転車と対向、追従する際に車輪を見た場合、リフレクターがリムに隠れたり現れたりという動きをすることから、反射に強弱が生まれ、あたかも点滅しているような反射が得られる。この結果、夜間における自転車走行時の安全が確保される。本考案のリフレクターは、自転車の前輪だけでなく、後輪のスポークに取り付けても有効である。【選択図】図３
2007276602.tif 000002
【特許請求の範囲】
【請求項１】
球体と平面体を付けた、おたまじゃくしのような形の表面に反射板を装着した全方向反射型自転車用リフレクター
【請求項２】
平面体の側面の形は長方形、三角形、楕円形などの特徴を有する形の請求項１の全方向反射型自転車用リフレクター
【発明の詳細な説明】
【技術分野】
【０００１】
本考案は、自転車の車輪のスポーク部に取り付けられているリフレクターに関し、主に夜間において、その反射性能が自転車の走行、ハンドルのぶれによる前輪のランダムな揺動や車両からの光軸の移動などによって低下することがないよう工夫した全方向反射型リフレクターである。
【背景技術】
【０００２】
自転車の車輪のスポークに取り付けて用いられる従来のリフレクターとしては、横方向からの視認性の高い平面タイプのリフレクター、斜め前から少し見やすくなった平面タイプに円弧面をつけたタイプのリフレクター、さらに自発光式のリフレクターがあり、主に次のようなものが公知である。
【０００３】
【特許文献１】特開平１０−２３６３６０号公報乗り物用リフレクター
【０００４】
【特許文献２】特開２００１−１３０４６６号公報自転車用点滅スポークリフレクターの取り付け装置
【０００５】
【特許文献３】特開２００４−２４９９１１号公報自転車用リフレクター
【０００６】
【非特許文献１】実用新案登録第３０６４９８０号小平面鏡多方向反射リフレクター
【発明の開示】
【発明が解決しようとする課題】
【０００７】
従来のリフレクターは反射方向が横への一方向又は、横方向に加え狭い範囲での前後の斜め方向への反射であり、車両の運転手が交差点で左右から来た自転車を認識する時、又は、車両の運転手が自転車と対向、追従する際に、斜めから一瞬認識するのには有効であった。本考案は車輪がどの方向を向いていても反射光を期待できること、さらに車輪の回転によってリフレクターが前後に動き、前後の広範囲に反射光を発することができることなど、球体の反射面が全方向、平面体の反射面が横方向に同時に反射するリフレクターを提供することである。
【課題を解決するための手段】
【０００８】
上記目的を達成するため、球体と平面体を付けた、おたまじゃくしのような形の表面に反射面を装着した全方向反射リフレクターを形成していることを特徴とするものである。
【発明の効果】
【０００９】
上記構成のリフレクターは、前輪と後輪の両方、又はどちらかのスポークのリムに近いところに取り付けて用いられる。自動車などの発した入射光に対して、リフレクターの反射面が直角の場合に最も強く反射することから、球体の表面の反射面は車輪の揺動により向きが変わった場合や車両などからの入射光の角度が車両などの移動により変わった場合でも最適に反射する。さらに、自転車の車輪の回転による円運動によってリフレクターが車輪の中で見かけ状、前後に移動し、車両の運転手が自転車と対向、追従する際に車輪を見た場合、リフレクターがリムに隠れたり現れたりという動きをすることから、反射に強弱が生まれ、あたかも点滅しているような反射が得られ、運転者から自転車が視認しやすいことから、夜間においての衝突事故の防止に効果がある。
【発明を実施するための最良の形態】
【００１０】
リフレクターは、自転車の車輪のスポークに取り付ける、球体と平面体を付けた、おたまじゃくしのような形態を持つ。
【実施例】
【００１１】
以下、図１〜３に基づいて実施例を詳細に説明する。符号１はリフレクター本体であり、球体の表面の反射面２と平面体の表面の反射面３を形成し、球体の両サイドと、平面体にスポークに対する固定部４〜７を形成した構成である。上記構成のリフレクターを自転車８の前輪９のスポーク１０に取り付けた例を図３に示す。
【産業上の利用可能性】
【００１２】
本考案は以上のように、リフレクター本体に形成した、球体と平面体を組み合わせた反射面において、自動車などのヘッドライトの光に直角に対向している場合には平面体の反射面で反射し、斜め方向に対向等している場合には球体の反射面で反射することにより、自動車などの運転手から自転車の存在が良く判り、従来のリフレクターに比較して事故防止性能が格段に向上する。
【図面の簡単な説明】
【００１３】
【図１】本考案に係るリフレクターの正面図。
【図２】Ａ−Ａ’線断面図。
【図３】リフレクターを自転車のスポークに取り付けた状態の説明図
【符号の説明】
【００１４】
１  リフレクター本体
２  球体の反射面
３  平面体の反射面
４〜７  取り付け固定部
８  自転車
９  前輪
１０  スポーク
【図１】
2007276602.tif 000003
【図２】
2007276602.tif 000004
【図３】
2007276602.tif 000005
(57)【要約】【課題】  再密封を可能にし、安価な液体収納容器を提供する。【解決手段】  上記、液体収納容器のそそぎ口にチャック機能を設ける。  【選択図】      図1
2007276796.tif 000002
【特許請求の範囲】
【請求項１】
液体を収納する容器のチャック式機能を有するそそぎ口。
【発明の詳細な説明】
【技術分野】
【０００１】
本発明は、液体を収納する容器の再密封可能なチャック機能を有するそそぎ口に関する。
【背景技術】
【０００２】
再密封可能な液体を収納する容器のそそぎ口としては、主に、ネジ機構を有するキャップが使用されており液体収納容器が高価なものとなっている。
【発明の開示】
【発明が解決しようとする課題】
【０００３】
従来の液体収納容器のそそぎ口の再密封を可能ならしめるためには、主にネジ機構を有するキャップ式が採用されているが、ネジ機構を形成する為には厚手の材質となり、原料費は高いものとなっている。
また、雄ネジ、雌ネジの製造、組立ても複雑なものとなりさらに、高価な容器となっている。
【課題を解決するための手段】
【０００４】
従って、本発明では、液体収納容器のそそぎ口の再密封を可能ならしめるために、チャック機能を有するそそぎ口を採択した。
【発明の効果】
【０００５】
本発明は、上述のとおり、簡単なチャック機能により、液体収納容器のそそぎ口の再密封を可能にするものであり、当該容器の製造費用を安価なものにできる。
【実施例１】
【０００６】
図1に示すように部分的にチャック機能を設けたナイロン、ポリエチレンより成る複合膜液体収納袋。
【実施例２】
【０００７】
図２に示すように突出したそそぎ口を設けてその先端にチャック機能を設けた複合膜液体収納袋。
【０００８】
また、実施例２の場合、そそぎ口の開閉操作を片手、或いは口にて行なう事ができる。
【図面の簡単な説明】
【０００９】
【図１】部分的にチャック機構を設けた液体収納袋の側面図
【図２】突出部にチャック機構を儲けた液体収納袋の側面図
【符号の説明】
【００１０】
A      チャック機構
B      チャック機構      
【図１】
2007276796.tif 000003
【図２】
2007276796.tif 000004
(57)【要約】【課題】  本発明は、従来製品としてある一体化していて個々にも分離できる、押して取り出す飲み薬用包装が、個々に分離された時だけにできる、直角の先端部の角が危険な形状であるため、その角の形を変更して危険性を排除したものである。【解決する手段】  本発明により、従来からある一体化していて個々にも分離できる、押して取り出す飲み薬用包装は、個々に分離された時だけにできてしまう、危険な直角の角の先端部を、１ｄ曲線にし丸みをもたせて手や指等の怪我を防ぎ、且つ携帯時に服のポケットや小物入れ等に、傷を付けずにすむ形状にしたため、押して取り出す飲み薬用包装が一体化している時でも、個々に分離した状態で使用しても、危険性を排除したため安全に使用できる、四隅が丸い押して取り出す飲み薬用包装になった。【選択図】図１
2007276873.tif 000002
【特許請求の範囲】
【請求項１】
従来製品としてある、一体化していて個々にも分離できる、押して取り出す飲み薬用包装は、個々に分離した時だけにできてしまう、直角の角の先端部の形状が危険であり、その角を曲線にして丸みをもたせ、手や指の怪我や服や物に傷をつけてしまう事を防ぎ、危険性を排除したところを特徴とする、一体化していて個々に分離もできる、四隅が丸い押して取り出す飲み薬用包装。
【発明の詳細な説明】
【技術分野】
【０００１】  本発明は、従来製品としてある一体化していて個々にも分離できる、押して取り出す飲み薬用包装の、個々に分離された時にだけできる、危険な形状に関するものである。
【背景技術】
【０００２】  従来製品の、一体化していて個々にも分離できる、押して取り出す飲み薬用包装は、一体化している時の形状は、四隅が曲線で丸みをもたせてあり、直角の角がなく安全な形であるが、個々に分離した場合に分離された部分の、形状の角が直角になってしまい危険であった。
【発明の開示】
【発明が解決しようとする課題】
【０００３】  従来製品としてある、一体化していて個々にも分離できる、押して取り出す飲み薬用包装は、一体化したままでも押して薬を全部取り出す事が可能で、且つ個々に分離して押して取り出す事もできる製品であるが、個々に分離した形状は角が直角になってしまい、手や指が直角の角で怪我をする可能性があり、又外出時等薬を携帯する時等に服のポケットや小物入れ等に、個々に分離した状態で入れた場合に、傷がつき易く取扱いに注意が必要であった。【０００４】  本発明は、従来製品の一体化した状態で使用した時点では発生しなかった問題点が、個々に分離した時におきてしまう課題を決しようとするものであり、従来製品の機能はそのままに、個々に分離して使用しても、安全を確保できる事を目的にしたものである。
【課題を解決するための手段】
【０００５】  本発明は、上記した目的を達成するために、従来製品を一体化した状態で使用した時は発生しないが、個々に分離して使用する場合にだけできる危険性を排除するため、個々に分離して使用した状態でも、手や指に怪我や物に傷をつけない様に、分離した時にできる直角な角の先端部分を、曲線にして丸みをもたせ危険性を排除した。【０００６】  四隅の角が丸い形状の個々に分離された部分を、目的の個数だけ一体化した形にすれば、危険性を排除でき、一体化していて且つ個々に分離もできる、角が安全な押して取り出す飲み薬用包装ができて、従来製品が分離した時だけにできる危険な角の部分を、上述した手段で課題を解決した。
【発明の効果】
【０００７】  従来製品は、個々に分離せず一体化したまま使用した場合は問題点が発生しないが、個々に分離して使用する時には、飲み薬用包装の角が直角で危険になってしまうため、本発明により直角の角の先端部を曲線にして丸みをもたせたため、従来製品の機能はそのままに安全な形状の飲み薬用包装が出来て、分離した状態で使用しても手や指等を怪我する危険性がなくなり、又携帯する時など分離した飲み薬用包装の角で、服のポケットや入れ物等を傷つける心配もなく、安心して使用できる飲み薬用包装になった。
【発明を実施するための最良の形態】
【０００８】  本発明は、従来製品の一体化していて個々に分離しても使用できる、押して取り出す飲み薬用包装の機能を損なうことなく、分離した時だけにできる飲み薬包装の直角な角の先端部を曲線にして丸みをもたせたため、分離した状態で使用しても手や指等を怪我する危険性がなくなり、且つ携帯時に服のポケットや小物入れ等を傷つける事もなくなり、安心して使用できる、一体化した状態で使用しても安全で、個々に分離しても四隅が丸い形状で危険性を排除した、押して取り出す飲み薬用包装になった。
【実施例】
【０００９】  本発明製品の、１四隅が丸い押して取り出す飲み薬用包装本体は、従来からある押して取り出す飲み薬用包装製品と同等の、飲み薬用に最適な合成樹脂等素材を使用する。従来製品が個々に分離された状態の形状に、直角な角ができてしまいその部分の先端部が危険であり、危険な形を１ｄ曲線にして丸みをもたせために、個々に分離した状態で使用しても四隅が丸いために、手や指等を怪我することなく、又服のポケットや小物入れ等を傷つけずにすみ、一体化の状態でも個々に分離して使用した時でも安全な、四隅が丸い押して取り出す飲み薬用包装になった。
【図面の簡単な説明】
【００１０】
【図１】本発明の、四隅が丸い押して取り出す飲み薬用包装の本体正面図
【図２】本発明の、四隅が丸い押して取り出す飲み薬用包装の本体側面図
【図３】本発明の、一体化していて個々にも分離出来る、四隅が丸い押して取り出す飲み薬用包装を、一つ分離した状態の正面図
【図４】本発明の、一体化していて個々にも分離できる、四隅が丸い押して取り出す飲み薬用包装を、一つ分離した状態の側面図
【符号の説明】
【００１１】  １    本発明の、個々に分離する前の一体化している状態の、四隅が丸い押して取り出す飲み薬用包装本体
１ａ  個々に分離した状態でも安全な形状の、四隅が丸い押して取り出す飲み薬用包装の部分
１ｂ  透明な飲み薬保護カバー
１ｃ  個々に分離するための分離線
１ｄ  直角の角の先端部を曲線にして丸みをもたせた部分
２    飲み薬本体
【図１】
2007276873.tif 000003
【図２】
2007276873.tif 000004
【図３】
2007276873.tif 000005
【図４】
2007276873.tif 000006